【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
外輪と、外輪の内径部分に接触配置される球状部材と、球状部材を保持するリテーナ部材とを備え、外輪に球状部材を介して軸部材を相対回転自在に支持し得るようにした内輪を有しない玉軸受であって、前記外輪の内径部分の全周に亘って前記球状部材が転動可能なようにこれを該外輪の軸方向及び径方向外方向に支持するための凹溝軌道を複数列設けるとともに、前記外輪の中空部の軸方向の少なくとも一方側に前記リテーナ部材を該外輪の内部に出入り自在とする開放部を形成し、前記リテーナ部材を弾性変形可能な材料で構成し、該リテーナ部材に前記球状部材を保持する空間部を設け、該空間部に、少なくとも前記外輪から離れる側に前記球状部材の直径より狭くなっている狭径部を設けたことを特徴とする玉軸受。
【請求項２】
外輪と、外輪の内径部分に接触配置される球状部材と、球状部材を保持するリテーナ部材とを備え、外輪に球状部材を介して軸部材を相対回転自在に支持し得るようにした内輪を有しない玉軸受であって、前記外輪の内径部分の全周に亘って前記球状部材が転動可能なようにこれを該外輪の軸方向及び径方向外方向に支持するための凹溝軌道を複数列設けるとともに、前記外輪の中空部の軸方向の少なくとも一方側に前記リテーナ部材を該外輪の内部に出入り自在とする開放部を形成し、前記リテーナ部材を前記凹溝軌道に対応して複数個設け、該各リテーナ部材を弾性変形可能な材料で構成し、該各リテーナ部材に前記球状部材を保持する空間部を設け、該空間部に、少なくとも前記外輪から離れる側に前記球状部材の直径より狭くなっている狭径部を設けたことを特徴とする玉軸受。
【請求項３】
前記各リテーナ部材に設けられた前記球状部材を保持する空間部は、前記外輪から離れる側及び該外輪に近づく側の両側に前記球状部材の直径より狭くなっている狭径部を設けたことを特徴とする請求項１に記載の玉軸受。
【請求項４】
外輪に球状部材を介して軸部材を回転自在に支持し得るようにした内輪を有しない玉軸受の製造方法であって、球状部材と、内径部分にその全周に亘って球状部材が転動可能なようにこれを軸方向及び径方向外方向に支持するための凹溝軌道を複数列有し、内側の中空部の軸方向の少なくとも一方側にリテーナ部材を内部に出入り自在とする開放部を有する外輪と、球状部材を保持する空間部を有し、該空間部に、少なくとも前記外輪から離れる側に前記球状部材の直径より狭くなっている狭径部を有する弾性変形可能な材料からなるリテーナ部材とを設け、前記リテーナ部材の前記空間部に前記球状部材を保持せしめる工程と、前記外輪の内径部分に、その軸方向の少なくとも一方向に形成された開放部から前記球状部材とともに前記リテーナ部材を挿入する工程と、前記球状部材とともに前記リテーナ部材をその保持する球状部材が前記外輪の対応する凹溝軌道に嵌合する位置まで更に外輪の内径部分に押し込む工程とによって前記リテーナ部材を前記球状部材とともに前記外輪に組み付けたことを特徴とする玉軸受の製造方法。
【請求項５】
外輪に球状部材を介して軸部材を回転自在に支持し得るようにした内輪を有しない玉軸受の製造方法であって、球状部材と、内径部分にその全周に亘って球状部材が転動可能なようにこれを軸方向及び径方向外方向に支持するための凹溝軌道を複数列有し、内側の中空部の軸方向の少なくとも一方側にリテーナ部材を内部に出入り自在とする開放部を有する外輪と、球状部材を保持する空間部を有し、該空間部に、少なくとも前記外輪から離れる側に前記球状部材の直径より狭くなっている狭径部を有する弾性変形可能な材料からなる複数個のリテーナ部材とを設け、前記各リテーナ部材の前記空間部に前記球状部材を保持せしめる工程と、前記外輪の内径部分に、その軸方向の少なくとも一方向に形成された開放部から前記球状部材とともに前記複数のリテーナ部材の中の一つを挿入する工程と、前記球状部材とともに前記リテーナ部材を前記球状部材が前記外輪の対応する凹溝軌道に一致する位置まで更に前記外輪の内方向に挿入する工程と、残りのリテーナ部材を外輪の内径部分に挿入し、残りのリテーナ部材をその保持する球状部材が前記外輪の対応する凹溝軌道に嵌合する位置まで更に外輪の内径部分に押し込む工程とによって前記複数のリテーナ部材を前記球状部材とともに前記外輪に組み付けたことを特徴とする玉軸受の製造方法。
【請求項６】
前記リテーナ部材に設けられた前記球状部材を保持する空間部は、前記外輪から離れる側及び該外輪に近づく側の両側に前記球状部材の直径より狭くなっている狭径部を設けたことを特徴とする請求項４又は請求項５に記載の玉軸受の製造方法。
【手続補正２】
【補正対象書類名】明細書
【補正対象項目名】０００６
【補正方法】変更
【補正の内容】
【０００６】
上記目的を達成するため本発明は、外輪と、外輪の内径部分に接触配置される球状部材と、球状部材を保持するリテーナ部材とを備え、外輪に球状部材を介して軸部材を相対回転自在に支持し得るようにした内輪を有しない玉軸受であって、前記外輪の内径部分の全周に亘って前記球状部材が転動可能なようにこれを該外輪の軸方向及び径方向外方向に支持するための凹溝軌道を複数列設けるとともに、前記外輪の中空部の軸方向の少なくとも一方側に前記リテーナ部材を該外輪の内部に出入り自在とする開放部を形成し、前記リテーナ部材を弾性変形可能な材料で構成し、該リテーナ部材に前記球状部材を保持する空間部を設け、該空間部に、少なくとも前記外輪から離れる側に前記球状部材の直径より狭くなっている狭径部を設けたものである。
また本発明は、外輪と、外輪の内径部分に接触配置される球状部材と、球状部材を保持するリテーナ部材とを備え、外輪に球状部材を介して軸部材を相対回転自在に支持し得るようにした内輪を有しない玉軸受であって、前記外輪の内径部分の全周に亘って前記球状部材が転動可能なようにこれを該外輪の軸方向及び径方向外方向に支持するための凹溝軌道を複数列設けるとともに、前記外輪の中空部の軸方向の少なくとも一方側に前記リテーナ部材を該外輪の内部に出入り自在とする開放部を形成し、前記リテーナ部材を前記凹溝軌道に対応して複数個設け、該各リテーナ部材を弾性変形可能な材料で構成し、該各リテーナ部材に前記球状部材を保持する空間部を設け、該空間部に、少なくとも前記外輪から離れる側に前記球状部材の直径より狭くなっている狭径部を設けたものである。
また本発明は、外輪に球状部材を介して軸部材を回転自在に支持し得るようにした内輪を有しない玉軸受の製造方法であって、球状部材と、内径部分にその全周に亘って球状部材が転動可能なようにこれを軸方向及び径方向外方向に支持するための凹溝軌道を複数列有し、内側の中空部の軸方向の少なくとも一方側にリテーナ部材を内部に出入り自在とする開放部を有する外輪と、球状部材を保持する空間部を有し、該空間部に、少なくとも前記外輪から離れる側に前記球状部材の直径より狭くなっている狭径部を有する弾性変形可能な材料からなるリテーナ部材とを設け、前記リテーナ部材の前記空間部に前記球状部材を保持せしめる工程と、前記外輪の内径部分に、その軸方向の少なくとも一方向に形成された開放部から前記球状部材とともに前記複数のリテーナ部材の中の一つを挿入する工程と、前記球状部材とともに前記リテーナ部材を前記球状部材が前記外輪の対応する凹溝軌道に嵌合する位置まで更に外輪の内径部分に押し込む工程とによって前記のリテーナ部材を前記球状部材とともに前記外輪に組み付けたことを特徴とする。
また本発明は、外輪に球状部材を介して軸部材を回転自在に支持し得るようにした内輪を有しない玉軸受の製造方法であって、球状部材と、内径部分にその全周に亘って球状部材が転動可能なようにこれを軸方向及び径方向外方向に支持するための凹溝軌道を複数列有し、内側の中空部の軸方向の少なくとも一方側にリテーナ部材を内部に出入り自在とする開放部を有する外輪と、球状部材を保持する空間部を有し、該空間部に、少なくとも前記外輪から離れる側に前記球状部材の直径より狭くなっている狭径部を有する弾性変形可能な材料からなる複数個のリテーナ部材とを設け、前記各リテーナ部材の前記空間部に前記球状部材を保持せしめる工程と、前記外輪の内径部分に、その軸方向の少なくとも一方向に形成された開放部から前記球状部材とともに前記複数のリテーナ部材の中の一つを挿入する工程と、前記球状部材とともに前記リテーナ部材を前記球状部材が前記外輪の対応する凹溝軌道に一致する位置まで更に前記外輪の内方向に挿入する工程と、残りのリテーナ部材を外輪の内径部分に挿入し、残りのリテーナ部材をその保持する球状部材が前記外輪の対応する凹溝軌道に嵌合する位置まで更に外輪の内径部分に押し込む工程とによって前記複数のリテーナ部材を前記球状部材とともに前記外輪に組み付けたことを特徴とする。
また本発明は、前記各リテーナ部材に設けられた前記球状部材を保持する空間部は、前記外輪から離れる側及び該外輪に近づく側の両側に前記球状部材の直径より狭くなっている狭径部を設けたものである。
【手続補正３】
【補正対象書類名】明細書
【補正対象項目名】０００７
【補正方法】変更
【補正の内容】
【０００７】
本発明は、内輪がない為、小径軸を軸受け可能であり、小型且つ安価に製造できる。また、内輪のない玉軸受にあっては、外輪の内径部分にリテーナ部材と球状部材を挿入する前の段階において、球状部材の安定的な保持ができない為、組み立てが容易でないが、本発明のものは、リテーナ部材＋球状部材を外輪の内径部分に挿入する作業のみで組み立てが完了するため組み立てが極めて簡単である。また、凹溝軌道を複数列配置としたため、内側に挿入される軸部材を安定的に支持することができ、軸部材の軸方向の軸線が変位することがない。